(57)【要約】      （修正有）【課題】軽量の収納容器で且つ不使用時には占有体積を少なくすることを可能とするかつら収納容器を提供する。【解決手段】かつら収納容器は、紙、ビニール、プラスティック、皮革、合成皮革および布等の軽量の部材を使用し、かつらなどを収納しない不使用時には容易に折り畳むことによって占有体積を最小限とすることを特徴とし、収納容器が軽量であることから、保管、携行および運搬が容易であり、且つ折り畳むことが可能であることから、不使用時においても保管、携行および運搬の利便性が向上する。【選択図】図２
0003151417.tif 000002
【実用新案登録請求の範囲】
【請求項１】
かつらなど形を崩すことが適切でない物品の形状を保持しつつ携行可能にする収納容器であり、且つ、収容する物品を取り出した時には収納容器を容易に折り畳み、収納容器を物品収納に使用しない場合の占有体積を少なくすることを可能にすることを特徴とするかつら収納容器。
【考案の詳細な説明】
【技術分野】
【０００１】本考案は、かつらなど形を崩すことが適切でない物品の形状を保持しつつ携行可能にする収納容器であり、且つ、収納容器を物品収納に使用しない場合（本明細書において「不使用時」という）には収納容器を容易に折り畳み、収納容器の占有体積を少なくすることを可能にすることを特徴とするかつら収納容器に関するものである。
【背景技術】
【０００２】従来、一般的にかつらなどは、箱状の収納容器に収納され携行、運搬および保管が行われている。
【考案の開示】
【考案が解決しようとする課題】
【０００３】従来のかつらなどの収納容器は、かつらなどの物品を収納し携行するだけのものが一般的であり、収納容器は不使用時にも物品収納時と同一の形状で、同一の占有体積を必要としている。このため、かつらなどを収納していないにも拘らず、収納容器の保管のための空間を多く必要とすること、収納容器を携行、運搬する場合にも不必要な空間を占有し、収納容器の携行、運搬が効率的でない等の問題点があった。【０００４】そこで、下記特許文献１には、かつらの収納ケースとしてかつらを収納していない時において、コンパクトに折り畳むことができるかつら収納ケースが提案されている。
【特許文献１】特許公開第２００１−３２１７号公報
【０００５】しかしながら、提案されている上記特許文献１によるかつら収納ケースでは、その形状が比較的堅牢であることおよび使用部材が比較的重量物であるため、重量のある日本髪用のかつらには適しているが、より一般的に使用されている軽量の西洋髪用のかつら（一般的にウイッグと呼ばれている）用には、その堅牢さと重量が過剰であり、より軽量の収納容器で且つ不使用時には占有体積を少なくすることを可能とするかつら収納容器が望まれていた。
【課題を解決するための手段】
【０００６】上記課題を解決するため、本考案の請求項１に記載のかつら収納容器は、紙、ビニール、皮革、合成皮革、プラスティック、ポリウレタンフォームおよび布等の軽量の部材を使用し、柔らかい材質の特性および構造上に工夫を持たせることにより、不使用時には容易に折り畳むことによって占有体積を最小限とした。
【考案の効果】
【０００７】本考案により、比較的軽量の西洋髪用のかつら収納容器として、収納容器が軽量であることから、保管、携行および運搬が容易であり、且つ折り畳むことが可能であることから、不使用時においても保管、携行および運搬の利便性が向上する。
【実施例】
【０００８】本考案のかつら収納容器を、図面に示す具体的な実施例にもとづいて説明する。【０００９】図１から図３に示す本考案によるかつら収納容器は、容器の主体となる部材（１）に比較的軽量なビニール、皮革、合成皮革あるいは布などを使用し、容器の内部にてかつらを形を崩さないように保持する部材（２）には、比較的軽量かつ堅固な紙、プラスティックおよびウレタンフォームを使用する。かつらを収納容器に収納時にはかつら収納容器内部にある部材（２）の上部にかつらを置く。部材（１）は、部材（２）を部材（１）の底部に全て折り畳み収納した後に、部材（１）の材質の特質を利用して図２のように折り畳み、必要容積を最小とする。部材（２）は折り畳みが可能なように、複数の部材（２１、２２、２３、２４、２５、および２６）から構成される。部材（２４）および部材（２５）は接着剤にて接着され位置がずれないようになっている。かつらを収納容器に収納時には、部材（２）を全て部材（１）より取り出し、部材（２６）を最低部に置き、部材（２４および２５）を部材（２６）の上に重ねて置く。部材（２４）を組み上げ、部材（２３）を部材（２４）の切込みに挿入する。その後部材（２２）を部材（２）の上部から切り込みに挿入し部材（２）全体を固定する。更に部材（２１）を最後に部材（２）の上部に嵌め込む。部材（２）を部材（１）の内部に挿入し、部材（１）の底部に置く。これにより、かつらを部材（１）の内部にある部材（２）の上部にかつらの形状を崩すことなく収容することができる。部材（１）には部材（２）およびかつらを部材（１）に収納するための蓋となるように、接合および開放が容易なファスナー（１１）が取り付けられている。
かつらを収納容器から取り出した際に収納容器を折り畳むには、部材（２）全体を部材（１）内部より取り出し、部材（２１）を取り外し、部材（２２）を取り外し、部材（２３）を取り外し、部材（２４）を折り畳み、部材（２５）に重ね、占有容積を最小とする。部材（２６）を折り畳み、部材（２５）を部材（２６）に重ねて、部材（１）の内部底部に収納する。残りの部材（２１、２２および２３）を部材（１）内部に置いた、部材（２５）の上に重ねて収納する。部材（１）を折り畳むことによって、すべての部材が一体化された形状にて占有体積を最小とすることが可能となる。
【図面の簡単な説明】
【００１０】
【図１】図１は、本考案によるかつら収納容器にかつらを収納した場合の閉じた状態での斜視図である。
【図２】図２は、図１にある形状を有するかつら収納容器のかつらを収納していない場合に折り畳んだ状態での斜視図である。
【図３】図３は、部材（２）を組み立てた状態での斜視図である。
【符号の説明】
【００１１】１  かつら収納容器
２  かつら保持材
【図１】
0003151417.tif 000003
【図２】
0003151417.tif 000004
【図３】
0003151417.tif 000005
【手続補正書】
【提出日】平成21年3月18日(2009.3.18)
【手続補正１】
【補正対象書類名】実用新案登録請求の範囲
【補正対象項目名】全文
【補正方法】変更
【補正の内容】
【実用新案登録請求の範囲】
【請求項１】
かつらなど形を崩すことが適切でない物品を内部に保持するために必要十分な内部の空間を有し、皮革あるいはビニール等の化学製品を使用し、箱状あるいは円筒状の形状を持ち、内部にはかつらなどの物品の形を崩さないように保持する、プラスティック及び紙で製作された保持器具と、手によって収納容器を容易に携行可能にするための取っ手と、物品を収納容器に収納するため及び取り出すためのファスナーなどで開閉できる開閉構造を収納容器上部に有する収納容器であり、且つ、収容する物品を収納容器より取り出した時には、収納容器内部にある保持器具を折り畳み、更に箱状の収納容器を折り畳むことによって、かつらなどの物品を収納していない場合の占有容積を少なくすることを可能にすることを特徴とするかつら収納容器。